(57)【要約】【課題】  機器の状態をユーザに知らせることができる電子機器を提供すること。【解決手段】  実施形態によれば、表示部及び文字入力用キーボードを備えない電子機器は光源と制御手段を具備する。光源は少なくとも２色を有し、連続発光又は点滅発光可能である。制御手段は前記電子機器の状態に応じて前記光源の発光色、及び前記光源の連続発光、点滅発光又は消灯を切替制御する。【選択図】図７
2019120979.tif 000002
【特許請求の範囲】
【請求項１】
表示部及び文字入力用キーボードを備えない電子機器であって、
少なくとも２色を有し、連続発光又は点滅発光可能な光源と、
前記電子機器の状態に応じて前記光源の発光色、及び前記光源の連続発光、点滅発光又は消灯を切替制御する制御手段と、
を具備する電子機器。
【請求項２】
前記光源は第１発光ダイオードを具備し、
前記制御手段は前記電子機器の電源状態に応じて前記第１発光ダイオードの発光色、及び前記第１発光ダイオードの連続発光、点滅発光又は消灯を切替制御する請求項１記載の電子機器。
【請求項３】
前記光源は第２発光ダイオードと二次電池を更に具備し、
前記制御手段は前記二次電池の充電動作状態に応じて前記第２発光ダイオードの発光色、及び前記第１発光ダイオードの連続発光、点滅発光又は消灯を切替制御する請求項２記載の電子機器。
【請求項４】
前記制御手段は前記電子機器内のエンベデッドコントローラのファームウェア状態に応じて前記第１発光ダイオードの発光色、及び前記第１発光ダイオードの連続発光、点滅発光又は消灯を切替制御する請求項２記載の電子機器。
【請求項５】
前記制御手段は前記電子機器のＢＩＯＳの状態に応じて前記第１発光ダイオードの発光色、及び前記第１発光ダイオードの連続発光、点滅発光又は消灯を切替制御する請求項２記載の電子機器。
【請求項６】
前記制御手段は前記電子機器のＯＳの状態に応じて前記第１発光ダイオードの発光色、及び前記第１発光ダイオードの連続発光、点滅発光又は消灯を切替制御する請求項２記載の電子機器。
【請求項７】
前記制御手段は前記電子機器のユーザログインの状態に応じて前記第１発光ダイオードの発光色、及び前記第１発光ダイオードの連続発光、点滅発光又は消灯を切替制御する請求項２記載の電子機器。
【請求項８】
前記光源は発光ダイオードを具備し、
前記電子機器は複数の操作ボタンを更に具備し、
前記複数の操作ボタンの中の１つ以上の操作ボタンが操作された場合、前記制御手段は操作された操作ボタンの種類及び操作の仕方に応じて前記発光ダイオードの発光色、及び前記発光ダイオードの連続発光、点滅発光又は消灯を切替制御する請求項１記載の電子機器。
【請求項９】
前記電子機器は前記複数の操作ボタンの中の１つ以上の操作ボタンが操作された場合、前記複数の操作ボタンをロック又はロック解除するロック手段を更に具備し、
前記ロック手段により前記複数の操作ボタンがロックされた場合又は前記複数の操作ボタンがロック解除された場合、前記制御手段は前記発光ダイオードの点滅回数を制御する請求項８記載の電子機器。
【請求項１０】
前記複数の操作ボタンの中の１つ以上の操作ボタンが操作された場合、前記制御手段は前記複数の操作ボタンのロック状態又はアンロック状態に応じて前記発光ダイオードの点滅回数を制御する請求項９記載の電子機器。
【請求項１１】
前記複数の操作ボタンの中の１つ以上の操作ボタンが操作された場合、前記制御手段は前記電子機器のＢＩＯＳ又はＯＳの更新状態に応じて前記発光ダイオードの点滅速度を制御する請求項８記載の電子機器。
【請求項１２】
前記電子機器はインターネットに接続可能であり、
前記複数の操作ボタンの中の１つ以上の操作ボタンが操作された場合、前記制御手段はインターネットとの接続状態に応じて前記発光ダイオードの発光色、及び前記発光ダイオードの連続発光、点滅発光又は消灯を切替制御する請求項８記載の電子機器。
【請求項１３】
前記複数の操作ボタンの中の１つ以上の操作ボタンが操作された場合、前記電子機器の電源状態をオン状態、スリープ状態、休止状態又はオフ状態に変更する変更手段を更に具備し、
前記制御手段は前記変更手段により変更された前記電子機器の電源状態に応じて前記発光ダイオードの発光色、及び前記発光ダイオードの連続発光、点滅発光又は消灯を切替制御する請求項８記載の電子機器。
【請求項１４】
前記電子機器は二次電池を具備し、
前記制御手段は、前記複数の操作ボタンの中の１つ以上の操作ボタンが操作された場合、前記二次電池の残量に応じて前記発光ダイオードの発光色、及び前記発光ダイオードの連続発光、点滅発光又は消灯を切替制御する請求項８記載の電子機器。
【請求項１５】
前記制御手段は、前記複数の操作ボタンの中の１つ以上の操作ボタンが操作された場合、前記電子機器と前記二次電池の接続状態、及び前記二次電池の残量に応じて前記発光ダイオードの点滅回数又は点灯回数を制御する請求項１４記載の電子機器。
【請求項１６】
前記電子機器は扁平な直方体状の筐体を具備し、
前記複数の操作ボタンは前記筐体の正面に設けられ、
前記発光ダイオードは前記筐体の側面に前記側面から突出して設けられている請求項８記載の電子機器。
【請求項１７】
前記電子機器は扁平な直方体状の筐体を具備し、
前記複数の操作ボタンは前記筐体の正面に設けられ、
前記発光ダイオードは前記正面と前記筐体の側面とに亘って設けられ、前記発光ダイオードの一部は前記正面に露出している請求項８記載の電子機器。
【請求項１８】
前記発光ダイオードは前記側面の厚さの半分と同等以上の径を有する請求項１７記載の電子機器。
【発明の詳細な説明】
【技術分野】
【０００１】
本発明の実施形態は電子機器に関する。
【背景技術】
【０００２】
最近、多くのモノがインターネットでつながるＩｏＴ時代となり、オフィス、工場、その他様々な場面において、ネットワークコミュニケーションや情報共有のツールとしてエッジコンピューティングと呼ばれる技術が求められている。このエッジコンピューティングを実現するためにはデータセンター（或いはクラウド）とは別に作業者（ユーザ）がその場で使用可能な、高度の汎用性と処理能力を持つ実用的なモバイルエッジコンピューティングデバイスの開発が必要とされている。これにより、作業現場等での業務効率化や生産性向上、或いは、データの負荷分散やネットワーク環境の改善等を図ることが期待される。
【０００３】
モバイルエッジコンピューティングデバイスはディスプレイや文字入力用のハードウェアキーボードが備わっていると、作業者は作業に専念しづらい。これを解決するために、ディスプレイやハードウェアキーボードを備えないモバイルエッジコンピューティングデバイスが検討されている。このようなモバイルエッジコンピューティングデバイスにメガネ型ウェアラブル機器を接続すれば、メガネ型ウェアラブル機器の表示部をモバイルエッジコンピューティングデバイスのディスプレイとして利用でき、作業者は作業しながら、表示を確認することができる。
【先行技術文献】
【特許文献】
【０００４】
【特許文献１】特開2011-249906号公報
【特許文献２】特開2012-068777号公報
【特許文献３】特開2004-094622号公報
【発明の概要】
【発明が解決しようとする課題】
【０００５】
このような電子機器はディスプレイを備えていないので、機器が正常に作動しているのか又は異常が発生しているのか等をユーザが分かりにくい。
【０００６】
本発明は、実用的なモバイルエッジコンピューティングを実現することを目的とし、そのために、機器の状態をユーザに知らせることができる電子機器を提供することである。
【課題を解決するための手段】
【０００７】
実施形態によれば、表示部及び文字入力用キーボードを備えない電子機器は光源と制御手段を具備する。光源は少なくとも２色を有し、連続発光又は点滅発光可能である。制御手段は前記電子機器の状態に応じて前記光源の発光色、及び前記光源の連続発光、点滅発光又は消灯を切替制御する。
【図面の簡単な説明】
【０００８】
【図１】実施形態の電子機器を含む遠隔支援システムの一例を示すブロック図である。
【図２】図１中のオペレータ端末１２の一例を示すブロック図である。
【図３】図１中のモバイルＰＣ１６に接続されるウェアラブルデバイス２３の外観の一例を示す。
【図４】ウェアラブルデバイス２３の本体２４の外観の一例を示す。
【図５】モバイルＰＣ１６とウェアラブルデバイス本体２４との接続の一例を示す。
【図６】ウェアラブルデバイス本体２４の一例を示すブロック図である。
【図７】モバイルＰＣ１６の外観の一例を示す。
【図８】モバイルＰＣ１６の一例を示すブロック図である。
【図９】５ボタン２０２の２つの動作モード（通常モードと数字キーモード）の一例を示す。
【図１０】通常モードと数字キーモードの切替の一例を示す。
【図１１】モバイルＰＣ１６のパワーＬＥＤ２１３とＤＣ  ＩＮ／バッテリＬＥＤ２１４の点灯状態の一例を示す。
【図１２】モバイルＰＣ１６の５ボタンが操作されるときに実行される機能とパワーＬＥＤ２１３の点灯状態の一例を示す。
【図１３】モバイルＰＣ１６のバッテリ残量チェック時のＤＣ  ＩＮ／バッテリＬＥＤ２１４の点灯状態の一例を示す。
【図１４】変形例のモバイルＰＣ１６におけるパワーＬＥＤ２１３とＤＣ  ＩＮ／バッテリＬＥＤ２１４の配置例を示す。
【発明を実施するための形態】
【０００９】
以下、実施の形態について図面を参照して説明する。なお、開示はあくまで一例にすぎず、以下の実施形態に記載した内容により発明が限定されるものではない。当業者が容易に想到し得る変形は、当然に開示の範囲に含まれる。説明をより明確にするため、図面において、各部分のサイズ、形状等を実際の実施態様に対して変更して模式的に表す場合もある。複数の図面において、対応する要素には同じ参照数字を付して、詳細な説明を省略する場合もある。
【００１０】
実施形態の電子機器を遠隔支援システムに利用した例を説明するが、実施形態の電子機器は他のシステムにも利用可能である。
【００１１】
［遠隔支援システム］  
図１は、エッジコンピューティングを実現するための遠隔支援システムの一例を示すブロック図である。遠隔支援システムは、ユーザ、例えば作業現場の作業者を後方のオペレータが遠隔地から支援するためのシステムである。現場の作業の例は、複雑なメンテナンス業務、物流倉庫のピッキング作業、作業現場の監視、災害救助・医療サポート等がある。作業現場の作業者側をフロントエンド、後方のオペレータ側をバックエンドとも称する。遠隔支援システムは、作業者が携帯するモバイルパーソナルコンピュータ（ＰＣ）（モバイルエッジコンピューティングデバイスと呼ぶこともある）１６と作業者から離れた位置にある遠隔支援センター（データセンター）１８をネットワーク２２を介して相互に接続され、通信可能となっている。モバイルＰＣ１６と遠隔支援センター１８は有線のＬＡＮケーブルによりネットワーク２２に接続されてもよいし、無線ＬＡＮ、ブルートゥース（登録商標）等によりネットワーク２２に接続されてもよい。
【００１２】
ウェアラブルデバイス２３はモバイルＰＣ１６と接続される。図１では、ウェアラブルデバイス２３はケーブルによりモバイルＰＣ１６に接続される例を示すが、ウェアラブルデバイス２３は無線ＬＡＮ、ブルートゥース等によりモバイルＰＣ１６と接続されてもよい。ウェアラブルデバイス２３はカメラ、ディスプレイを備え、カメラで撮影した画像をモバイルＰＣ１６に送信し、モバイルＰＣ１６から送信される画像をディスプレイで表示する。
【００１３】
図１に示すように複数の作業者がネットワークを介して相互に通信することも可能である。この場合、遠隔支援センターを経由してもよいし、遠隔支援センターのオペレータを介さずに作業者同士のみで通信するようにすることも可能である。
【００１４】
遠隔支援センター１８はオペレータ端末１２とサーバ１４を備える。遠隔支援センター１８はモバイルＰＣ１６（及びウェアラブルデバイス２３）とオペレータ端末１２間で音声通話を行う又は情報をやり取りする。モバイルＰＣ１６に接続されるウェアラブルデバイス２３のリアルタイム映像をオペレータ端末１２にビデオ配信することや、モバイルＰＣ１６とオペレータ端末１２間で画像を相互に送受信することができる。また、オペレータ端末１２からモバイルＰＣ１６にテキストメッセージを送信することもできる。例えば、物流倉庫ピッキング作業では、メガネ型のウェアラブルデバイス２３にピッキング品の場所を表示させ、ハンズフリーでのピッキングを実現できる。
【００１５】
遠隔支援としては、典型的には、例えば以下の機能を含む。  
【００１６】
(1)モバイルＰＣ１６とオペレータ端末１２との双方向の音声通話を行う音声通話機能。  
【００１７】
(2)音声通話中にウェアラブルデバイス２３のリアルタイム映像をオペレータ端末１２にビデオ配信するライブ映像配信機能。  
【００１８】
(3)音声通話中にモバイルＰＣ１６とオペレータ端末１２間で静止画を送受信する静止画像の送受信機能（モバイルＰＣ１６は撮影した静止画やビデオ配信中のキャプチャ画像をオペレータ端末１２に送信し、オペレータ端末１２は受信した画像に文字や絵などを書き込み、編集した画像をモバイルＰＣ１６に送信する機能。モバイルＰＣ１６で受信した静止画像は、モバイルＰＣ１６内のフォルダーに保存され、閲覧可能である）。  
【００１９】
(4)音声通話中にオペレータ端末１２のデスクトップ画面全体又は任意のアプリケーションのウィンドウをウェアラブルデバイス２３に表示する画面共有機能。  
【００２０】
(5)オペレータ端末１２からモバイルＰＣ１６に対してテキストメッセージを送信するテキストメッセージの送信機能。
【００２１】
サーバ１４は遠隔支援のための処理をオペレータ端末１２に代わって又は協働して行うものであり、プロセッサ（ＣＰＵ）２８、ＲＯＭ３０、ＲＡＭ３２、ハードディスクドライブ（ＨＤＤ）又はソリッドステートドライブ（ＳＳＤ）からなるストレージデバイス３４、インターフェース３６を備える。なお、サーバ１４の機能を全てオペレータ端末１２に持たせ、サーバ１４を省略してもよい。
【００２２】
［オペレータ端末１２］  
図２はオペレータ端末１２の一例を示すブロック図である。オペレータ端末１２はデスクトップ型ＰＣ又はノートブック型ＰＣ等からなる。
【００２３】
オペレータは、オペレータ端末１２を用いて作業現場の状況をリアルタイム映像で確認しながら、会話や画像によってモバイルＰＣ１６の作業者に指示を行う。オペレータは、オペレータ端末１２を用いてモバイルＰＣ１６から受信した画像ファイルに絵や文字などの書き込みを行い、編集した画像ファイルをモバイルＰＣ１６に送信することや、オペレータ端末１２に保存することができる。
【００２４】
オペレータ端末１２は、プロセッサを含むシステムコントローラ４２を備え、システムコントローラ４２には、主メモリ４４、ＢＩＯＳ−ＲＯＭ５０、ＨＤＤ又はＳＳＤからなるストレージデバイス５２、オーディオコーデック５４、グラフィクスコントローラ６２、タッチパネル７０、ＵＳＢ（登録商標）コネクタ７２、無線ＬＡＮデバイス７４、ブルートゥースデバイス７６、有線ＬＡＮデバイス７８、ＰＣＩＥｘｐｒｅｓｓ（登録商標）カードコントローラ８０、メモリカードコントローラ８２、エンベデッドコントローラ／キーボードコントローラ（ＥＣ／ＫＢＣ）８４等が接続される。
【００２５】
システムコントローラ４２はストレージデバイス５２から主メモリ４４にロードされる様々なプログラムを実行する。これらプログラムは、オペレーティングシステム（ＯＳ）４６、遠隔支援のためのバックエンドアプリケーションプログラム４８を含む。システムコントローラ４２は不揮発性メモリであるＢＩＯＳ−ＲＯＭ５０に格納された基本入出力システム（ＢＩＯＳ）も実行する。ＢＩＯＳはハードウェア制御のためのシステムプログラムである。
【００２６】
オーディオコーデック５４は、再生対象のデジタルのオーディオ信号をアナログのオーディオ信号に変換して、ヘッドフォン５８又はスピーカ６０に供給する。また、オーディオコーデック５４は、マイク５６から入力されるアナログのオーディオ信号をデジタル信号に変換する。マイク５６とヘッドフォン５８は単独で設けてもよいが、インカムとして一体的に設けてもよい。
【００２７】
グラフィックスコントローラ６２は、オペレータ端末１２のディスプレイモニタとして使用される液晶表示器（ＬＣＤ）６４を制御する。ＬＣＤ６４の画面上にタッチパネル７０が重ねられ、ＬＣＤ６４の画面にタッチペン等により手書き入力操作が行えるように構成されている。グラフィックスコントローラ６２にはＨＤＭＩ（登録商標）コントローラ６６も接続される。ＨＤＭＩコントローラ６６は外部の表示デバイスとの接続のためのＨＤＭＩコネクタ６８に接続される。
【００２８】
無線ＬＡＮデバイス７４は、ネットワーク２２との接続のためにＩＥＥＥ８０２．１１規格の無線ＬＡＮ通信を実行する。ブルートゥースデバイス７６は、外部機器との接続のためにブルートゥース規格の無線通信を実行する。有線ＬＡＮデバイス７８は、ネットワーク２２との接続のためにＩＥＥＥ８０２．３規格の有線ＬＡＮ通信を実行する。このように、オペレータ端末１２とネットワーク２２との接続は無線通信によってもよいし、有線通信によってもよい。
【００２９】
ＰＣＩＥｘｐｒｅｓｓカードコントローラ８０はオペレータ端末１２と外部機器との間でＰＣＩＥｘｐｒｅｓｓ規格の通信を行なう。メモリカードコントローラ８２は、記憶媒体、例えばＳＤカード（登録商標）等のメモリカードにデータを書き込み、メモリカードからデータを読み出す。
【００３０】
ＥＣ／ＫＢＣ８４は電力管理コントローラであり、キーボード８８を制御するキーボードコントローラも内蔵したワンチップマイクロコンピュータとして実現されている。ＥＣ／ＫＢＣ８４は、電源スイッチ８６の操作に応じてオペレータ端末１２をパワーオン又はパワーオフする機能を有する。パワーオン及びパワーオフの制御は、ＥＣ／ＫＢＣ８４と電源回路９０との協働動作によって実行される。ＥＣ／ＫＢＣ８４はオペレータ端末１２がパワーオフされている期間中も、バッテリ９２又はＡＣアダプタ９４からの電力によって動作する。電源回路９０は、バッテリ９２からの電力又は外部電源として接続されるＡＣアダプタ９４からの電力を用いて、各コンポーネントへ供給すべき電力を生成する。
【００３１】
［ウェアラブルデバイス２３］  
図３はモバイルＰＣ１６に接続されるウェアラブルデバイス２３の外観の一例を示す。ウェアラブルデバイス２３はメガネフレーム１４２とウェアラブルデバイス本体２４を備える。メガネフレーム１４２は一般的なメガネからレンズを取り除いた形状でもよく、作業者の顔に装着される。メガネフレーム１４２はメガネが取り付けられる構造としてもよい。作業者がメガネを常用する場合、常用しているメガネと同様な度数のレンズがメガネフレーム１４２に取り付けられてもよい。
【００３２】
メガネフレーム１４２はウェアラブルデバイス本体２４が着脱される取付具１４４を左右のテンプルに備える。図３では作業者の右側のテンプルの取付具１４４はウェアラブルデバイス本体２４に隠されているので、図示されない。上述したようにウェアラブルデバイス本体２４はディスプレイ１２４（図４に示す）（請求項では表示手段と称する）を備え、ディスプレイ１２４は片目で目視されるようになっているので、ウェアラブルデバイス本体２４が利き目側に取り付けられるように取付具１４４は左右のテンプルに備えられている。なお、ウェアラブルデバイス本体２４を取付具１４４によりメガネフレーム１４２に着脱自在に取り付ける必要はなく、ウェアラブルデバイス本体２４がメガネフレーム１４２に固定された右眼用、左眼用のウェアラブルデバイス２３を用意してもよい。さらに、ウェアラブルデバイス本体２４をメガネフレーム１４２ではなく、ヘルメット、ゴーグル等を用いて作業者の頭部に装着してもよい。
【００３３】
ウェアラブルデバイス本体２４は、その係合片１２８（図４に示す）が取付具１４４の上下の枠内に挟まれるように、メガネフレーム１４２に取り付けられる。ウェアラブルデバイス本体２４をメガネフレーム１４２から取り外す場合は、ウェアラブルデバイス本体２４が取付具１４４から引き抜かれる。
【００３４】
ウェアラブルデバイス本体２４は取付具１４４に取り付けられた状態で、係合片１２８は取付具１４４内で前後に多少は移動可能である。このため、作業者の焦点がディスプレイ１２４に合うようにウェアラブルデバイス本体２４は前後位置が調整可能である。さらに、取付具１４４はテンプルに直交する軸１４４Ａを中心に回転可能であり、ウェアラブルデバイス本体２４がメガネフレーム１４２に取り付けられた後、ディスプレイ１２４が作業者の視線上に位置するように上下位置が調整可能である。さらに、取付具１４４の回転角度は９０度程度であり、取付具１４４を上方向に大きく回転することにより、ウェアラブルデバイス本体２４をメガネフレーム１４２からはね上げることができる。これにより、ウェアラブルデバイス本体２４により視野が邪魔され実物を見ることが困難な場合や、狭い場所でウェアラブルデバイス本体２４が周囲の物体に干渉する場合でも、ウェアラブルデバイス２３全体を顔から外す／再装着することなく、ウェアラブルデバイス本体２４を作業者の視野から一時的に外す／戻すことができる。
【００３５】
［ウェアラブルデバイス本体２４］  
ウェアラブルデバイス本体２４はメガネフレーム１４２のテンプルに沿った側面部と作業者の一方の眼球の視線上に位置する前面部とからなる。側面部に対する前面部の角度は調節可能である。  
【００３６】
前面部の外側表面にはカメラ１１６、ライト１１８、カメラＬＥＤ１２０が設けられる。ライト１１８は暗部の撮影時に発光する補助照明である。カメラＬＥＤ１２０は写真や動画の撮影時に点灯し、撮影対象者に撮影していることを認識させるためのものである。
【００３７】
右側のテンプルに取り付けられたウェアラブルデバイス本体２４の側面部の上側面に第１、第２、第３ボタン１０２、１０４、１０６が設けられる。なお、作業者の利き目が左眼の場合、ウェアラブルデバイス本体２４は左側のテンプルに取り付けられる。右側に取り付けられるか左側に取り付けられるかで、ウェアラブルデバイス本体２４の上下が反転するので、側面部の上側面と下側面の両面に第１、第２、第３ボタン１０２、１０４、１０６を設けてもよい。
【００３８】
側面部の外側表面にはタッチパッド１１０、第４ボタン１０８、マイク１１２、照度センサ１１４が設けられる。タッチパッド１１０と第４ボタン１０８は人差し指で操作可能である。ボタン１０２、１０４、１０６は、ウェアラブルデバイス本体２４が右側に取り付けられた際、それぞれ人差し指、中指、薬指で操作可能な位置に配置される。タッチパッド１１０（請求項では検出手段と称する）は、その表面上で矢印に示すように作業者が指を上下前後に移動させたことを検出できるようにしている。この移動の検出は、指を接触したまま移動するドラッグの動きに加え指をさっと擦るフリックの動きも含む。タッチパッド１１０は、作業者の指の上下前後移動を検出すると、コマンドを入力する。本明細書では、コマンドとはウェアラブルデバイス本体２４に対する特定の処理の実行指令のことである。第１〜第４ボタン１０２、１０４、１０６、１０８、タッチパッド１１０の操作方法はアプリケーションプログラムによって決められている。
【００３９】
例えば、  
第３ボタン１０６が１回押されると、項目の選択／項目の実行がなされ、  
第３ボタン１０６が長押しされると、起動中のアプリケーションの一覧が表示され、  
第２ボタン１０４が１回押されると、ホーム画面に戻り、  
第２ボタン１０４が長押しされると、クイックセッティングのメニューが表示され、  
第１ボタン１０２が１回押されると、操作の取り消し（キーボードのEscキーと同様の動作）が実行される。
【００４０】
タッチパッド１１０の操作に関しては、例えば、  
上下にドラッグされると、カーソルが上下に移動され、  
前にフリックされると、左のアイコンが選択され（連続してスクロール）、  
後ろにフリックされると、右のアイコンが選択され（連続してスクロール）、  
前にドラックされると、左のアイコンが選択され（１項目ずつスクロール）、  
後ろにドラックされると、右のアイコンが選択され（１項目ずつスクロール）る。
【００４１】
第１ボタン１０２は人差し指、第２ボタン１０４は中指、第３ボタン１０６は薬指、第４ボタン１０８は小指で操作できるような位置に配置される。なお、第４ボタン１０８が側面部の上部ではなく、側面部の外側表面に設けられるのは、スペースの関係上であり、第４ボタン１０８も第１〜第３ボタン１０２、１０４、１０６と同様に側面部の上部で設けられてよい。照度センサ１１４はディスプレイの明るさを自動調整するために周囲の照度を検出する。
【００４２】
図４はウェアラブルデバイス本体２４の裏面の外観の一例を示す。前面部の内側にはＬＣＤからなるディスプレイ１２４が設けられる。側面部の内側にはマイク１２６、スピーカ１３０、係合片１２８が設けられる。マイク１２６は側面部の前方に、スピーカ１３０は側面部の後方に、係合片１２８は側面部の後方に設けられる。スピーカ１３０の代わりにヘッドフォンを用いてもよい。その場合、オペレータ端末１２と同様にマイクとヘッドフォンをインカムとして一体的に設けてもよい。
【００４３】
図５はモバイルＰＣ１６とウェアラブルデバイス本体２４との接続の一例を示す。図５（ａ）に示すように、側面部の後方にはＵＳＢｔｙｐｅ−Ｃ（登録商標）規格のケーブル１４６の一端のプラグ１４６Ａが挿入されるレセプタクル１３２が設けられる。ＵＳＢｔｙｐｅ−Ｃ規格のケーブル１４６の他端のプラグ１４６ＢはモバイルＰＣ１６の上部端面のＵＳＢｔｙｐｅ−Ｃ規格のコネクタ２０７に挿入される。このようにウェアラブルデバイス本体２４はＵＳＢｔｙｐｅ−Ｃ規格のケーブル１４６を介してモバイルＰＣ１６に接続され、画像信号等がウェアラブルデバイス本体２４とモバイルＰＣ１６の間で伝送される。ウェアラブルデバイス本体２４は無線ＬＡＮ、ブルートゥース等の無線通信によりモバイルＰＣ１６に接続されてもよい。
【００４４】
実施形態ではウェアラブルデバイス本体２４は駆動電源としてのバッテリ又はＤＣ端子を備えず、駆動電源はモバイルＰＣ１６からＵＳＢｔｙｐｅ−Ｃケーブル１４６を介してウェアラブルデバイス本体２４に供給される。しかし、ウェアラブルデバイス本体２４が駆動電源を備えてもよい。
【００４５】
レセプタクル１３２が形成されるウェアラブルデバイス本体２４の側面部の後方は曲面になっており、図５（ｂ）、（ｃ）に示すように、曲面にはレセプタクル１３２となる凹部が形成されている。図５（ｂ）は実施形態のレセプタクル１３２を示し、図５（ｃ）は比較例のレセプタクル１３２Ａを示す。図５（ｃ）に示す比較例では、曲面に形成された凹部からなるレセプタクル１３２Ａは破線で示す側面部の後方が平面の場合に比べて軸に直交する方向の強度が弱い。そのため、作業者の頭が動くこと等によりプラグ１４６Ａがレセプタクル１３２Ａ内で動き、レセクタプル１３２Ａがダメージを受けて破損する可能性や、プラグ１４６Ａがレセプタクル１３２Ａから抜ける可能性がある。
【００４６】
本実施形態によれば、図５（ｂ）に示すように、レセプタクル１３２が形成されるウェアラブルデバイス本体２４の側面部の後方の凹部の縁を覆う突起が形成される。このように、レセプタクル１３２は側面部の後方の曲面から突出して形成される。このため、レセプタクル１３２が破損する可能性やプラグ１４６Ａがレセプタクル１３２から抜ける可能性が低い。
【００４７】
なお、プラグ１４６Ａとレセプタクル１３２の接続が強固過ぎると、ケーブル１４６が他のものに引っ掛かった場合、作業者が危険にさらされる可能性がある。例えば、狭い危険な場所で作業している場合、他のものに引っ掛かったケーブルにより頭部が引っ張られると、頭部が危険な箇所に近づくことがある。そのため、プラグ１４６Ａとレセプタクル１３２は外れ易くもなく抜け難くもない丁度よく外れる強さで接続されている。接続の力はプラグ１４６Ａとレセプタクル１３２のストローク長や、挿入時に両者を圧接するバネの強度等を調整することにより調節できる。
【００４８】
図６はウェアラブルデバイス本体２４の一例を示すブロック図である。ＵＳＢｔｙｐｅ−Ｃコネクタ１３２がミキサ１６６に接続される。ディスプレイコントローラ１７０と１２４とＵＳＢハブ１６４がミキサ１６６の第１端子、第２端子にそれぞれ接続される。ディスプレイ１２４がディスプレイコントローラ１７０に接続される。カメラコントローラ１６８、オーディオコーデック１７２、センサコントローラ１６２がＵＳＢハブ１６４に接続される。カメラ１１６とライト１１８とカメラＬＥＤ１２０がカメラコントローラ１６８に接続される。マイク１１２、１２６からのオーディオ信号がオーディオコーデック１７２に入力され、オーディオコーデック１７２からのオーディオ信号がアンプ１７４を介してスピーカ１３０に入力される。
【００４９】
センサコントローラ１６２に、モーションセンサ（例えば、加速度／地磁気／重力／ジャイロセンサ等）１７６、照度センサ１１４、近接センサ１７８、タッチパッド１１０、第１〜第４ボタン１０２、１０４、１０６、１０８、ＧＰＳセンサ１８０が接続される。センサコントローラ１６２はモーションセンサ１７６、照度センサ１１４、近接センサ１７８、タッチパッド１１０、第１〜第４ボタン１０２、１０４、１０６、１０８、ＧＰＳセンサ１８０からの検出信号を処理して、モバイルＰＣ１６へコマンドを供給する。図４には示していないが、モーションセンサ１７６、近接センサ１７８はウェアラブルデバイス本体２４の内部に配置される。モーションセンサ１７６はウェアラブルデバイス本体２４の動き、向き、姿勢等を検出する。近接センサ１７８は作業者の顔、指等の接近によりウェアラブルデバイス２３の装着を検出する。
【００５０】
［モバイルＰＣ１６］  
図７はモバイルＰＣ（モバイルエッジコンピューティングデバイス）１６の外観の一例を示す。モバイルＰＣ１６は片手で持てる小型ＰＣであり、そのサイズは、幅が約１０ｃｍ以下、高さが約１８ｃｍ以下、厚さが２ｃｍ程度であり、重量は約３００ｇ程度と、小型で軽量である。このため、モバイルＰＣ１６は作業着のポケット、ベルトに装着されるホルスタあるいはショルダーケースに収納でき、ウェアラブルである。モバイルＰＣ１６はＣＰＵや半導体メモリ等の半導体チップやＳＳＤ(Solid State Disk)等のストレージデバイスを収納するが、ディスプレイと文字入力用のハードウェアキーボードは備えない。
【００５１】
モバイルＰＣ１６の正面にはアップボタン２０２ａ、ライトボタン２０２ｂ、ダウンボタン２０２ｃ、レフトボタン２０２ｄ、決定ボタン（センターボタン、エンターボタンとも称する）２０２ｅからなる５ボタン２０２が配置され、その下に指紋センサ２０４が配置される。文字入力用のハードウェアキーボードが備わっておらず暗証番号（ＰＩＮとも称する）を入力することができないので、指紋センサ２０４はモバイルＰＣ１６のログイン時のユーザ認証のために用いられる。５ボタン２０２はコマンドを入力できる。
【００５２】
なお、５ボタン２０２の各ボタン２０２ａ〜２０２ｄに数字を割り当て、５ボタン２０２を用いて暗証番号を入力することにより、ログイン時のユーザ認証を行ってもよい。この場合、指紋センサ２０４は省略可能である。決定ボタン２０２ｅ以外の4つのボタンに数字を割り当てるので、数字の種類は４つしかないので、ランダムに入力した数字が暗証番号に一致する可能性がある。しかし、暗証番号の桁数を大きくすれば、ランダムに入力した数字が暗証番号に一致する確率を小さくすることができる。指紋センサ２０４を備えるモバイルＰＣ１６でも５ボタン２０２による認証も可能としてもよい。１台のモバイルＰＣ１６を複数の作業者で共有することがあるが、指紋認証だけではこのような場合に対応できない。
【００５３】
５ボタン２０２はウェアラブルデバイス本体２４のボタン１０２、１０４、１０６、１０８とタッチパッド１１０の操作と同じ操作が可能である。ウェアラブルデバイス本体２４のボタン１０２、１０４、１０６、１０８とタッチパッド１１０は操作している様子を作業者は見ることができないので、作業者によっては意図した操作をするには慣れが必要な場合もある。また、ボタン１０２、１０４、１０６、１０８とタッチパッド１１０は小型であるので、操作しづらい場合もある。実施形態では、モバイルＰＣ１６の５ボタン２０２でも同じ操作ができるので、上記の懸念は解消される。５ボタン２０２の操作方法はアプリケーションによって決められている。
【００５４】
例えば、  
決定ボタン２０２ｅが１回押されると、項目の選択／項目の実行がなされ（ウェアラブルデバイス本体２４では、第３ボタン１０６の１回押しに対応）、  
決定ボタン２０２ｅが長押しされると、終了又は操作の取り消しがなされ（ウェアラブルデバイス本体２４では、第１ボタン１０２の１回押しに対応）、  
アップボタン２０２ａが１回押されると、カーソルが上に移動され（ウェアラブルデバイス本体２４では、タッチバッド１１０で上にドラッグに対応）、  
アップボタン２０２ａが長押しされると、起動中のアプリケーションの一覧が表示され（ウェアラブルデバイス本体２４では、第３ボタン１０６の長押しに対応）、  
ダウンボタン２０２ｃが１回押されると、カーソルが下に移動され（ウェアラブルデバイス本体２４では、タッチバッド１１０で下にドラッグに対応）、  
ダウンボタン２０２ｃが長押しされると、クイックセッティングメニュー（後述）が表示され（ウェアラブルデバイス本体２４では、第２ボタン１０４の長押しに対応）、  
レフトボタン２０２ｄが１回押されると、右のアイコンが選択され（ウェアラブルデバイス本体２４では、タッチバッド１１０で後ろにドラッグ／フリックに対応）、  
ライトボタン２０２ｂが１回押されると、左のアイコンが選択される（ウェアラブルデバイス本体２４では、タッチバッド１１０で前にドラッグ／フリックに対応）。
【００５５】
モバイルＰＣ１６の上部側面には、ＵＳＢ３．０規格のコネクタ２０６とＵＳＢｔｙｐｅ−Ｃ規格のコネクタ２０７とオーディオジャック２０８が設けられる。
【００５６】
モバイルＰＣ１６の一方の側面（正面から見て左側の側面）には、メモリカード用のカードスロット２１８が設けられる。メモリカードは、例えばＳＤカード、マイクロＳＤカード（登録商標）等を含む。
【００５７】
モバイルＰＣ１６の他方の側面（正面から見て右側の側面）には、ケンジントンロック（登録商標）のためのスロット２１０、電源スイッチ２１２、リングＬＥＤ２１３、バッテリチャージＬＥＤ２１４、ＤＣ端子２１６、冷却用の通風口２２２が設けられる。リングＬＥＤ２１３は電源スイッチ２１２の周囲に配置され、電源オンの期間点灯する。バッテリチャージＬＥＤ２１４はバッテリが充電中であるか否か等のモバイルＰＣ１６の状態とバッテリの残量を表示する。モバイルＰＣ１６はバッテリで駆動可能であるが、ＤＣ端子２１６にＡＣアダプタを接続した状態でも駆動可能である。図示しないが、裏面はワンタッチでバッテリが交換可能に構成されている。
【００５８】
図８はモバイルＰＣ１６の一例を示すブロック図である。モバイルＰＣ１６はウェアラブルデバイス本体２４で撮影した映像をオペレータ端末１２へビデオ配信することや、オペレータ端末１２から受信した画像を閲覧することができる。このため、モバイルＰＣ１６はカメラ機能とビューワ機能を備える。カメラ機能はウェアラブルデバイス本体２４のカメラ１１６で写真やビデオを撮影する機能である。撮影した写真やビデオはカメラフォルダに保存され、ビューワ機能で閲覧できる。ビューワ機能はカメラフォルダに保存されているファイルを閲覧する機能である。ファイルの種類は、画像、動画、ＰＤＦファイル、カメラ機能で撮影した写真やビデオ、オペレータ端末１２から受信した画像、オペレータ端末１２へ送信した画像、ユーザフォルダに保存されたファイルがある。
【００５９】
モバイルＰＣ１６はシステムコントローラ３０２を備え、システムコントローラ３０２はプロセッサ（ＣＰＵ）とコントローラ・ハブからなる。プロセッサには、主メモリ３０８、リングＬＥＤ２１３、バッテリチャージＬＥＤ２１４、ＵＳＢコントローラ３２２が接続される。コントローラ・ハブには、フラッシュメモリ３２６、メモリカードコントローラ３２８、ＨＤＤ又はＳＳＤからなるストレージデバイス３３０、ＵＳＢ切替器３２４、オーディオコーデック３３４、３Ｇ／ＬＴＥ／ＧＰＳデバイス３３６、指紋センサ２０４、ＵＳＢ３．０コネクタ２０６、ブルートゥースデバイス３３８、無線ＬＡＮデバイス３４０、ＥＣ／ＫＢＣ３４４が接続される。
【００６０】
システムコントローラ３０２はストレージデバイス３３０から主メモリ３０８にロードされる様々なプログラムを実行する。これらプログラムは、ＯＳ３１６、遠隔支援のためのフロントエンドアプリケーションプログラム３１４、後述する表示画面向き制御のための画面制御アプリケーションプログラム３１２を含む。
【００６１】
オーディオコーデック３３４は、再生対象のデジタルのオーディオ信号をアナログのオーディオ信号に変換して、オーディオジャック２０８に供給する。また、オーディオコーデック３３４は、オーディオジャック２０８から入力されるアナログのオーディオ信号をデジタル信号に変換する。  
【００６２】
メモリカードコントローラ３２８はメモリカードスロット２１８に挿入されるメモリカード、例えばＳＤカードにアクセスして、ＳＤカードに対するデータの読み書きを制御する。
【００６３】
ＵＳＢコントローラ３２２はＵＳＢｔｙｐｅ−Ｃコネクタ２０７に接続されるＵＳＢｔｙｐｅ−Ｃケーブル又はＵＳＢ３．０コネクタ２０６に接続されるＵＳＢ３．０ケーブル（図示せず）に対するデータの送受信を制御する。  
【００６４】
図示しないが、ＵＳＢｔｙｐｅ−Ｃコネクタ２０７にはポート拡張アダプタも接続可能であり、ＨＤＭＩ等のインターフェースが使用可能である。
【００６５】
ブルートゥースデバイス３３８はネットワーク２２との接続のためにブルートゥース規格の無線通信を実行する。無線ＬＡＮデバイス３４０は、ネットワーク２２との接続のためにＩＥＥＥ８０２．１１規格の無線ＬＡＮ通信を実行する。なお、ネットワーク２２との接続は無線通信によらず、ＩＥＥＥ８０２．３規格の有線ＬＡＮ通信によってもよい。
【００６６】
指紋センサ２０４はモバイルＰＣ１６の起動時の指紋認証のために使用される。  
【００６７】
ＥＣ／ＫＢＣ３４４には、サブプロセッサ３４６、電源スイッチ２１２及び５ボタン２０２が接続される。ＥＣ／ＫＢＣ３４４は、電源スイッチ２１２の操作に応じてモバイルＰＣ１６をパワーオン又はパワーオフする機能を有する。パワーオン及びパワーオフの制御は、ＥＣ／ＫＢＣ３４４と電源回路３５０との協働動作によって実行される。ＥＣ／ＫＢＣ３４４はモバイルＰＣ１６がパワーオフされている期間中も、バッテリ３５２又はＡＣアダプタ３５８からの電力によって動作する。電源回路３５０は、バッテリ３５２からの電力又は外部電源として接続されるＡＣアダプタ３５８からの電力を用いて、各コンポーネントへ供給すべき電力を生成する。電源回路３５０は電圧レギュレータモジュール３５６を含み、電圧レギュレータモジュール３５６はシステムコントローラ３０２内のプロセッサに接続される。
【００６８】
なお、モバイルＰＣ１６をウェアラブルデバイス本体２４と別体として構成したが、モバイルＰＣ１６をウェアラブルデバイス本体２４内に組み込んで、両者を一体として構成してもよい。
【００６９】
［５ボタン  動作モード］  
上述したように、ログイン時のユーザ認証を暗証番号入力により行うために、５ボタン２０２の動作モードが切替可能である。動作モードとしては、５ボタン２０２がカーソル移動のためのボタンとして動作する通常モード（図９（ａ））と、５ボタン２０２が数字キーとして動作する数字キーモード（図９（ｂ））とがある。５ボタン２０２のモードはＥＣ／ＫＢＣ３４４がスペシャルキーモードに設定されているか否かに応じて切り替えられる。ＥＣ／ＫＢＣ３４４はユーティリティプログラム又はユーザから入力されたコマンドに基づいてスペシャルキーモードのオン／オフが切替可能となっている。
【００７０】
ＥＣ／ＫＢＣ３４４においてスペシャルキーモードがオフの場合、５ボタン２０２は通常モードで動作する。この場合、５ボタン２０２からのキー信号がＥＣ／ＫＢＣ３４４に入力されると、ＥＣ／ＫＢＣ３４４からカーソルキーコードが出力される。ＥＣ／ＫＢＣ３４４はアップボタン２０２ａ、ライトボタン２０２ｂ、ダウンボタン２０２ｃ、レフトボタン２０２ｄからの信号をカーソルを上方、右方、下方、左方に移動するためのカーソルキーコードにそれぞれ変換して、キーボードドライバ４０２に供給する。この場合、キーボードドライバ４０２はカーソルキーコードをそのままアプリケーションプログラム４０４に供給する。これにより、通常モードの場合、ユーザは５ボタン２０２を操作することによりカーソルを上下左右に移動させることができる。
【００７１】
ＥＣ／ＫＢＣ３４４においてスペシャルキーモードがオンの場合、５ボタン２０２は数字キーモードで動作する。この場合、５ボタン２０２からのキー信号がＥＣ／ＫＢＣ３４４に入力されると、ＥＣ／ＫＢＣ３４４からスペシャルキーコードが出力される。ＥＣ／ＫＢＣ３４４はアップボタン２０２ａ、ライトボタン２０２ｂ、ダウンボタン２０２ｃ、レフトボタン２０２ｄからの信号を所定の数字、例えば“７８”、“７４”、“７２”、“５５”を示すスペシャルキーコードにそれぞれ変換して、キーボードドライバ４０２に供給する。この場合、キーボードドライバ４０２はレジストリ４０６内のスキャンコードマップに基づいてスペシャルキーコードを数字キーコードに変換して、アプリケーションプログラム４０４に供給する。
【００７２】
スキャンコードマップとはスペシャルキーコードをそれぞれ他の数字に変換するための定義を記述するものである。キーボードドライバ４０２はこの定義に基づいて “７８”、“７４”、“７２”、“５５”を示すスペシャルキーコードを例えば“２”、“４”、“６”、“８”を示す数字キーコードに変換する。スキャンコードマップはキーアサインユーテリティプログラムによりレジストリ４０６にセットされる。キーアサインユーテリティプログラムはモバイルＰＣ１６の主メモリ３０８にインストールされている。これにより、数字キーモードの場合、ユーザは５ボタン２０２を操作することにより数字を入力することができる。
【００７３】
図１０は、５ボタン２０２の通常モードと数字キーモードの切替を示す。モバイルＰＣ１６の電源がオンされると、キーアサインユーテリティプログラムが起動される。起動時はキーアサインユーテリティプログラムはＥＣ／ＫＢＣ３４４のスペシャルキーモードをオフする。これにより、５ボタン２０２の動作モードは通常モードに設定される。この後、ブートプログラムが実行され、ＯＳ起動のためにログイン認証処理が開始され、認証待機状態となる。認証待機状態になると、モバイルＰＣ１６はウェアラブルデバイス本体２４のディスプレイ１２４にＯＳ起動のための暗証番号（ＰＩＮ）入力画面を表示させる。ＰＩＮ入力画面は、ユーザへのメッセージ、例えば「設定した４桁の数字を入力して決定ボタンを押して下さい」を含む。暗証番号は事前にユーザにより設定され、モバイルＰＣ１６のストレージデバイス３３０に格納されている。なお、暗証番号の桁数は４桁に限らず、より多くの桁数、例えば１０桁等でもよい。認証待機状態になると、キーアサインユーテリティプログラムはＥＣ／ＫＢＣ３４４のスペシャルキーモードをオンする。これにより、５ボタン２０２の動作モードは数字キーモードに設定される。この状態で、図９（ｂ）に示すように、５ボタン２０２を用いてＰＩＮを示す数字が入力される。
【００７４】
ＰＩＮ認証が成功すると、キーアサインユーテリティプログラムはＥＣ／ＫＢＣ３４４のスペシャルキーモードをオフする。これにより、５ボタン２０２の動作モードは通常モードに設定される。この後は、図９（ａ）に示すように、５ボタン２０２を用いてカーソルの移動等が指示される。
【００７５】
通常モードにおいて、ユーザが画面（ＧＵＩ）上でモード切替を選択する又はモード切替コマンドを入力すると、ＥＣ／ＫＢＣ３４４のスペシャルキーモードがオンされる。このため、ユーザが所望する任意のタイミングで５ボタン２０２の動作モードは数字キーモードに切り替えられる。同様に、数字キーモードにおいて、ユーザが画面（ＧＵＩ）上でモード切替を選択する又はモード切替コマンドを入力すると、ＥＣ／ＫＢＣ３４４のスペシャルキーモードがオフされ、任意のタイミングで５ボタン２０２の動作モードは通常モードに切り替えられる。
【００７６】
［ステータス表示］  
ディスプレイを備えていないモバイルＰＣ１６はウェアラブルデバイス本体２４に接続されている状態では、ウェアラブルデバイス本体２４のディスプレイ１２４にシステムの種々の状態（以下、ステータスとも称する）を示すメッセージを表示できる。作業者はこのメッセージを見て、システムの状態、例えばエラーを認識できる。しかし、ウェアラブルデバイス本体２４がモバイルＰＣ１６に接続されていない場合は、作業者はシステムの状態を知ることができない。システムの状態とは、例えば、電源／ＯＳの状態、バッテリ残量、インターネットの接続状態、５ボタンのロック状態等である。これを解決するために、実施形態のモバイルＰＣ１６は、筐体側面にパワーＬＥＤ２１３、ＤＣ  ＩＮ／バッテリＬＥＤ２１４を備え、これらのＬＥＤの表示色、点灯状態を変えることにより、システムの種々の状態をユーザに知らせることができる。
【００７７】
図１１はモバイルＰＣ１６のパワーＬＥＤ２１３とＤＣ  ＩＮ／バッテリＬＥＤ２１４の点灯状態の一例を示す。  
【００７８】
パワーＬＥＤ２１３は電源、システム状態に応じて発光色、点灯状態が変わる。  
【００７９】
電源オンの場合、パワーＬＥＤ２１３はオレンジ色で点灯する。  
【００８０】
ＥＣ／ＫＢＣ３４４のファームウェアが更新中、パワーＬＥＤ２１３は白色で点滅する。  
【００８１】
ＢＩＯＳが更新中、パワーＬＥＤ２１３は白色で点滅する。ＢＩＯＳが更新中の点滅速度はファームウェアが更新中の点滅速度より遅い。  
【００８２】
システムの電源状態がスリープ状態（Ｓ３ステート）の場合、パワーＬＥＤ２１３は白色で点滅しながら、徐々に点灯(Breath)する。
【００８３】
ＢＩＯＳのブート中、パワーＬＥＤ２１３はオレンジ色で点灯する。  
【００８４】
ＯＳのブート中、パワーＬＥＤ２１３はオレンジ色で点灯する。  
【００８５】
スクリーンロック状態の場合、パワーＬＥＤ２１３はオレンジ色で点滅しながら、徐々に点灯(Breath)する。  
【００８６】
ログイン待機中又は画面ロック状態の場合、パワーＬＥＤ２１３はオレンジ色で点滅しながら、徐々に点灯(Breath)する。  
【００８７】
ＯＳのオン又はユーザログインが成功すると、パワーＬＥＤ２１３は白色で点灯する。
【００８８】
ユーザログインエラーの場合、パワーＬＥＤ２１３はオレンジ色と白色で０．５ｓ間隔で点滅する。このログインは指紋認証の場合であり、所定回数失敗すると、ログインエラーとされる。所定回数は設定で変更できるが、デフォルト値は例えば３回である。  
【００８９】
メモリエラーの場合、パワーＬＥＤ２１３はオレンジ色と白色で点滅する。  
【００９０】
スリープ中は、パワーＬＥＤ２１３は消灯する。  
【００９１】
これにより、ウェアラブルデバイス本体２４がモバイルＰＣ１６に接続されていない場合、ユーザはパワーＬＥＤ２１３の発光色、点灯状態に応じて電源、システムの状態を視覚的に認識できる。
【００９２】
ＤＣ  ＩＮ／バッテリＬＥＤ２１４は充電状態に応じて発光色、点灯状態が変わる。  
【００９３】
ＡＣアダプタ３５８が接続されており、充電状態が満充電の場合、ＤＣ  ＩＮ／バッテリＬＥＤ２１４は白色で点灯する。  
【００９４】
電源エラーの場合、ＤＣ  ＩＮ／バッテリＬＥＤ２１４は白色で点滅する。  
【００９５】
ＡＣアダプタ３５８が接続されており、充電状態が充電中の場合、ＤＣ  ＩＮ／バッテリＬＥＤ２１４はオレンジ色で点灯する。  
【００９６】
ＡＣアダプタ３５８が接続されておらず、充電状態が放電中の場合、ＤＣ  ＩＮ／バッテリＬＥＤ２１４は消灯する。  
【００９７】
これにより、ウェアラブルデバイス本体２４がモバイルＰＣ１６に接続されていない場合、ユーザはＤＣ  ＩＮ／バッテリＬＥＤ２１４の発光色、点灯状態に応じて充電状態を視覚的に認識できる。  
【００９８】
図１１に示す発光色、点灯状態、意味の組み合わせは一例であり、これらの組み合わせは自由に変更可能である。
【００９９】
［ボタン操作によるコマンド］  
モバイルＰＣ１６は文字入力用のハードウェアキーボードを備えていないので、コマンドを入力することができない。これを解決するために、実施形態のモバイルＰＣ１６は５ボタン２０２を備え、５ボタン２０２の各ボタンの組み合わせによりコマンドを入力できる。また、モバイルＰＣ１６はディスプレイを備えていないので、コマンドの内容あるいは実行状態を確認することができない。これを解決するために、実施形態のモバイルＰＣ１６はパワーＬＥＤ２１３とＤＣ  ＩＮ／バッテリＬＥＤ２１４を備え、パワーＬＥＤ２１３とＤＣ  ＩＮ／バッテリＬＥＤ２１４の表示色、点灯状態を変えることにより、コマンドの内容あるいは実行状態をユーザに知らせる。
【０１００】
図１２は５ボタン２０２の操作により実行される機能とパワーＬＥＤ２１３の点灯状態の一例を示す。
【０１０１】
アップボタン２０２ａとダウンボタン２０２ｃを同時に約５秒押すと、５ボタン２０２をロック／ロック解除することができる。  
【０１０２】
ロックが解除されている状態でこの操作が行われると、５ボタン２０２がロックされる。この時は、パワーＬＥＤ２１４は白色で１回点滅する。  
【０１０３】
ロックされている状態でこの操作が行われると、５ボタン２０２のロックが解除される。この時は、パワーＬＥＤ２１４は白色で２回点滅する。  
【０１０４】
アップボタン２０２ａとダウンボタン２０２ｃを同時に押しながらセンターボタン２０２ｅを約１秒押すと、５ボタン２０２のロック状態を確認できる。ロックされている状態の場合、パワーＬＥＤ２１４は白色で１回点滅する。ロックされていない状態の場合、パワーＬＥＤ２１４は白色で２回点滅する。５ボタン２０２のロック状態の確認は５ボタン２０２がロックされていても可能である。
【０１０５】
レフトボタン２０２ｄとライトボタン２０２ｂと電源スイッチ２１２を同時に約５秒押すと、ＢＩＯＳ／ＯＳを更新できる。ＢＩＯＳの更新中はパワーＬＥＤ２１４は白色で点滅する。ＯＳの更新中はパワーＬＥＤ２１４は白色で点滅する。ＯＳの更新中の点滅速度はＢＩＯＳの更新中の点滅速度より速い。
【０１０６】
レフトボタン２０２ｄとライトボタン２０２ｂを同時に押しながらセンターボタン２０２ｅを約１秒押すと、ネットワークの接続状況を確認できる。モバイルＰＣ１６がインターネットに接続されている場合、パワーＬＥＤ２１４は白色で１回点滅する。モバイルＰＣ１６がインターネットに接続されていない場合、パワーＬＥＤ２１４は白色で２回点滅する。
【０１０７】
モバイルＰＣ１６は種々の電源状態（ステート）を取り得るが、電源スイッチ２１２と５ボタン２０２の操作により、電源状態を変更できる。モバイルＰＣ１６はできるだけ長時間バッテリ駆動できるように、一定時間操作がされないと、休止状態とされる。また、ウェアラブルデバイス本体２４がモバイルＰＣ１６から外されると、先ずウェアラブルデバイス本体２４がスリープ状態とされ、その後、モバイルＰＣ１６もスリープ状態とされる。
【０１０８】
電源スイッチ２０２を１秒押すと、ＯＳの設定に従った状態に移行させることができる。スリープ状態に移行する場合、パワーＬＥＤ２１４は点滅し、休止や電源オフ状態に移行する場合、パワーＬＥＤ２１４は消灯する。  
【０１０９】
アップボタン２０２ａと電源スイッチ２０２を同時に１秒押すと、スリープ状態に移行させることができる。この時、パワーＬＥＤ２１４は点滅する。  
【０１１０】
ライトボタン２０２ｂと電源スイッチ２０２を同時に１秒押すと、休止状態に移行させることができる。この時、パワーＬＥＤ２１４は消灯する。  
【０１１１】
ダウンボタン２０２ｃと電源スイッチ２０２を同時に１秒押すと、シャットダウン状態に移行させることができる。この時、パワーＬＥＤ２１４は消灯する。  
【０１１２】
これにより、ウェアラブルデバイス本体２４と文字入力用のハードウェアキーボードがモバイルＰＣ１６に接続されていない場合、ユーザは５ボタン２０２の各ボタンを組み合わせて操作することによりコマンドを入力することができ、パワーＬＥＤ２１３の発光色、点灯状態に応じてコマンドの実行状態を視覚的に認識できる。  
【０１１３】
図１２に示す機能、ボタン操作、発光色、点灯状態、内容の組み合わせは一例であり、これらの組み合わせは自由に変更可能である。
【０１１４】
図１３は５ボタン２０２の操作により実行されるモバイルＰＣ１６のバッテリ残量チェック機能とＤＣ  ＩＮ／バッテリＬＥＤ２１４の点灯状態の一例を示す。実施形態のモバイルＰＣ１６によればレフトボタン２０２ｄとライトボタン２０２ｂを同時に押しながらセンターボタン２０２ｅを押すと、バッテリ残量チェックを実行できる。バッテリ残量チェックは５ボタン２０２がロックされていても可能である。
【０１１５】
ＡＣアダプタ３５８が接続されている状態でバッテリ残量が１００％（フル充電）の場合、ＤＣ  ＩＮ／バッテリＬＥＤ２１４は白色で点灯する。この点灯状態はボタン操作によって変化しない。
【０１１６】
ＡＣアダプタ３５８が接続されている状態でバッテリ残量が８０％以上の場合、ＤＣ  ＩＮ／バッテリＬＥＤ２１４はオレンジ色で１回点滅する。ＡＣアダプタ３５８が接続されている状態でバッテリ残量が２０％〜８０％の場合、ＤＣ  ＩＮ／バッテリＬＥＤ２１４はオレンジ色で２回点滅する。ＡＣアダプタ３５８が接続されている状態でバッテリ残量が２０％以下の場合、ＤＣ  ＩＮ／バッテリＬＥＤ２１４はオレンジ色で３回点滅する。ＡＣアダプタ３５８が接続されている状態でバッテリ残量が５％以下の場合、ＤＣ  ＩＮ／バッテリＬＥＤ２１４はオレンジ色で４回点滅する。
【０１１７】
ＡＣアダプタ３５８が接続されていない状態でバッテリ残量が８０％以上の場合、ＤＣ  ＩＮ／バッテリＬＥＤ２１４はオレンジ色で１回点灯する。ＡＣアダプタ３５８が接続されていない状態でバッテリ残量が２０％〜８０％の場合、ＤＣ  ＩＮ／バッテリＬＥＤ２１４はオレンジ色で２回点灯する。ＡＣアダプタ３５８が接続されていない状態でバッテリ残量が２０％以下の場合、ＤＣ  ＩＮ／バッテリＬＥＤ２１４はオレンジ色で３回点灯する。
【０１１８】
ＡＣアダプタ３５８が接続されていない状態でバッテリ残量が５％以下の場合、ＤＣ  ＩＮ／バッテリＬＥＤ２１４はオレンジ色で点滅する。この点滅状態はボタン操作によって変化しない。
【０１１９】
これにより、ウェアラブルデバイス本体２４と文字入力用のハードウェアキーボードがモバイルＰＣ１６に接続されていない場合、ユーザは５ボタン２０２の各ボタンを組み合わせて操作することによりモバイルＰＣ１６にバッテリ残量チェックを指示することができ、パワーＬＥＤ２１３の発光色、点灯状態に応じてバッテリの残量を視覚的に確認できる。
【０１２０】
図１３に示す機能、ボタン操作、発光色、点灯状態、バッテリ充電状態の組み合わせは一例であり、これらの組み合わせは自由に変更可能である。
【０１２１】
［パワーＬＥＤ２１３とＤＣ  ＩＮ／バッテリＬＥＤ２１４の配置例］  
図７に示したように、パワーＬＥＤ２１３とＤＣ  ＩＮ／バッテリＬＥＤ２１４はモバイルＰＣ１６の側面に設けられている。図１１のようにシステムの状態を示す際は５ボタン２０２の操作が必要ないので、モバイルＰＣ１６の側面に設けられているＬＥＤ２１３、２１４がシステムの状態を作業者に知らせることができる、しかし、図１２、図１３に示すようにコマンドを入力するためにボタン操作を行い、コマンドの実行状態を確認する場合は、モバイルＰＣ１６の底面をデスク等の平面に載置してボタン操作することがある。この場合、作業者はモバイルＰＣ１６を正面から見ることになり、側面に配置されるパワーＬＥＤ２１３とＤＣ  ＩＮ／バッテリＬＥＤ２１４の点灯状態を視認しづらい場合がある。
【０１２２】
図１４に示すように、パワーＬＥＤ２１３とＤＣ  ＩＮ／バッテリＬＥＤ２１４の配置を変更することにより、作業者はモバイルＰＣ１６を正面から見る場合でも、ＬＥＤ２１３、２１４の点灯状態を視認性良く確認することができる。
【０１２３】
図１４（ａ）に示す変形例では、パワーＬＥＤ２１３とＤＣ  ＩＮ／バッテリＬＥＤ２１４をモバイルＰＣ１６の側面から突出する突起形状とし、突起の周面も発光面とする。
【０１２４】
図１４（ｂ）に示す変形例では、パワーＬＥＤ２１３とＤＣ  ＩＮ／バッテリＬＥＤ２１４をモバイルＰＣ１６の側面のみではなく、一部を正面にも配置する。すなわち、パワーＬＥＤ２１３とＤＣ  ＩＮ／バッテリＬＥＤ２１４をモバイルＰＣ１６の正面と側面とに亘って設けられ、一部が正面に露出している。
【０１２５】
図１４（ｃ）に示す変形例では、パワーＬＥＤ２１３、ＤＣ  ＩＮ／バッテリＬＥＤ２１４を高輝度のＬＥＤにより実現する。ＬＥＤの発光輝度を高めるためには、径を大きくすることが考えられる。一例として、パワーＬＥＤ２１３を大径化する例を示す。パワーＬＥＤ２１３の径ＤはモバイルＰＣ１６の側面の幅Ｗの１／２と同等あるいはそれ以上であれば、作業者はモバイルＰＣ１６を正面から見る場合でも、モバイルＰＣ１６の側面に設けられたパワーＬＥＤ２１３の発光状態を視認性良く確認することができる。
【０１２６】
これらの変形例により、モバイルＰＣ１６を正面から見た場合でも、パワーＬＥＤ２１３とＤＣ  ＩＮ／バッテリＬＥＤ２１４の発光状態を視認により確認できる。
【０１２７】
本実施形態の処理はコンピュータプログラムによって実現することもできるので、このコンピュータプログラムを格納したコンピュータ読み取り可能な記憶媒体を通じてこのコンピュータプログラムをコンピュータにインストールして実行するだけで、本実施形態と同様の効果を容易に実現できる。
【０１２８】
実施形態によれば、次の電子機器、システムが提供される。
（１）  表示部及び文字入力用キーボードを備えない電子機器であって、
少なくとも２色を有し、連続発光又は点滅発光可能な光源と、
前記電子機器の状態に応じて前記光源の発光色、及び前記光源の連続発光、点滅発光又は消灯を切替制御する制御手段と、
を具備する電子機器。
（２）  （２）記載の電子機器であって、
前記光源は第１発光ダイオードを具備し、
前記制御手段は前記電子機器の電源状態に応じて前記第１発光ダイオードの発光色、及び前記第１発光ダイオードの連続発光、点滅発光又は消灯を切替制御する電子機器。
（３）  （２）記載の電子機器であって、
前記光源は第２発光ダイオードと二次電池を更に具備し、
前記制御手段は前記二次電池の充電動作状態に応じて前記第２発光ダイオードの発光色、及び前記第１発光ダイオードの連続発光、点滅発光又は消灯を切替制御する電子機器。
（４）  （２）記載の電子機器であって、
前記制御手段は前記電子機器内のエンベデッドコントローラのファームウェア状態に応じて前記第１発光ダイオードの発光色、及び前記第１発光ダイオードの連続発光、点滅発光又は消灯を切替制御する電子機器。
（５）  （２）記載の電子機器であって、
前記制御手段は前記電子機器のＢＩＯＳの状態に応じて前記第１発光ダイオードの発光色、及び前記第１発光ダイオードの連続発光、点滅発光又は消灯を切替制御する電子機器。
（６）  （２）記載の電子機器であって、
前記制御手段は前記電子機器のＯＳの状態に応じて前記第１発光ダイオードの発光色、及び前記第１発光ダイオードの連続発光、点滅発光又は消灯を切替制御する電子機器。
（７）  （２）記載の電子機器であって、
前記制御手段は前記電子機器のユーザログインの状態に応じて前記第１発光ダイオードの発光色、及び前記第１発光ダイオードの連続発光、点滅発光又は消灯を切替制御する電子機器。
（８）  （１）記載の電子機器であって、
前記光源は発光ダイオードを具備し、
前記電子機器は複数の操作ボタンを更に具備し、
前記複数の操作ボタンの中の１つ以上の操作ボタンが操作された場合、前記制御手段は操作された操作ボタンの種類及び操作の仕方に応じて前記発光ダイオードの発光色、及び前記発光ダイオードの連続発光、点滅発光又は消灯を切替制御する電子機器。
（９）  （８）記載の電子機器であって、
前記電子機器は前記複数の操作ボタンの中の１つ以上の操作ボタンが操作された場合、前記複数の操作ボタンをロック又はロック解除するロック手段を更に具備し、
前記ロック手段により前記複数の操作ボタンがロックされた場合又は前記複数の操作ボタンがロック解除された場合、前記制御手段は前記発光ダイオードの点滅回数を制御する電子機器。
（１０）  （９）記載の電子機器であって、
前記複数の操作ボタンの中の１つ以上の操作ボタンが操作された場合、前記制御手段は前記複数の操作ボタンのロック状態又はアンロック状態に応じて前記発光ダイオードの点滅回数を制御する電子機器。
（１１）  （８）記載の電子機器であって、
前記複数の操作ボタンの中の１つ以上の操作ボタンが操作された場合、前記制御手段は前記電子機器のＢＩＯＳ又はＯＳの更新状態に応じて前記発光ダイオードの点滅速度を制御する電子機器。
（１２）  （８）記載の電子機器であって、
前記電子機器はインターネットに接続可能であり、
前記複数の操作ボタンの中の１つ以上の操作ボタンが操作された場合、前記制御手段はインターネットとの接続状態に応じて前記発光ダイオードの発光色、及び前記発光ダイオードの連続発光、点滅発光又は消灯を切替制御する電子機器。
（１３）  （８）記載の電子機器であって、
前記複数の操作ボタンの中の１つ以上の操作ボタンが操作された場合、前記電子機器の電源状態をオン状態、スリープ状態、休止状態又はオフ状態に変更する変更手段を更に具備し、
前記制御手段は前記変更手段により変更された前記電子機器の電源状態に応じて前記発光ダイオードの発光色、及び前記発光ダイオードの連続発光、点滅発光又は消灯を切替制御する電子機器。
（１４）  （８）記載の電子機器であって、
前記電子機器は二次電池を具備し、
前記制御手段は、前記複数の操作ボタンの中の１つ以上の操作ボタンが操作された場合、前記二次電池の残量に応じて前記発光ダイオードの発光色、及び前記発光ダイオードの連続発光、点滅発光又は消灯を切替制御する電子機器。
（１５）  （１４）記載の電子機器であって、
前記制御手段は、前記複数の操作ボタンの中の１つ以上の操作ボタンが操作された場合、前記電子機器と前記二次電池の接続状態、及び前記二次電池の残量に応じて前記発光ダイオードの点滅回数又は点灯回数を制御する電子機器。
（１６）  （８）記載の電子機器であって、
前記電子機器は扁平な直方体状の筐体を具備し、
前記複数の操作ボタンは前記筐体の正面に設けられ、
前記発光ダイオードは前記筐体の側面に前記側面から突出して設けられている電子機器。
（１７）  （８）記載の電子機器であって、
前記電子機器は扁平な直方体状の筐体を具備し、
前記複数の操作ボタンは前記筐体の正面に設けられ、
前記発光ダイオードは前記正面と前記筐体の側面とに亘って設けられ、前記発光ダイオードの一部は前記正面に露出している電子機器。
（１８）  （１７）記載の電子機器であって、
前記発光ダイオードは前記側面の厚さの半分と同等以上の径を有する電子機器。
（１９）  表示部を具備するウェアラブル機器と、
前記ウェアラブル機器に接続され、前記表示部に画像信号を供給する電子機器と、
を具備するシステムであって、
前記ウェアラブル機器は複数の第１キー信号を発生する複数の第１操作ボタンを具備し、
前記電子機器は複数の第２キー信号を発生するものであり前記複数の第１操作ボタンより多い複数の第２操作ボタンを具備し、
前記電子機器は前記複数の第１操作ボタンから発生される前記複数の第１キー信号のいずれか及び前記複数の第２操作ボタンから発生される前記複数の第２キー信号のいずれかに対して同じ操作を割り当てるシステム。
（２０）  （１９）記載のシステムであって、
前記ウェアラブル機器はユーザの頭部に装着されるメガネ型ウェアラブル機器を具備し、
前記複数の第１操作ボタンは前記メガネ型ウェアラブル機器の側面に設けられ、
前記複数の第１操作ボタンは項目の選択と実行のためのキー信号と、操作の取り消しのためのキー信号を発生し、
前記複数の第２操作ボタンは前記電子機器の扁平な直方体状の筐体の正面に設けられ、
前記複数の第２操作ボタンは項目の選択と実行のためのキー信号と、操作の取り消しのためのキー信号を発生するシステム。
（２１）  （２０）記載のシステムであって、
前記ウェアラブル機器は前記メガネ型ウェアラブル機器の側面に設けられるタッチパッドを更に具備し、
前記タッチパッドは、
上へのドラッグに応じてカーソルを上へ移動させるためのキー信号を発生し、
下へのドラッグに応じてカーソルを下へ移動させるためのキー信号を発生し、
前へのフリックに応じて左のアイコンを連続して選択するためのキー信号を発生し、
後へのフリックに応じて右のアイコンを連続して選択するためのキー信号を発生し、
前へのドラッグに応じて左のアイコンを選択するためのキー信号を発生し、
後へのドラッグに応じて右のアイコンを選択するためのキー信号を発生し、
前記複数の第２操作ボタンは上ボタン、下ボタン、左ボタン、右ボタン及びセンターボタンを具備し、
前記センターボタンは操作の取り消しのためのキー信号を発生し、
前記上ボタンはカーソルを上へ移動させるためのキー信号を発生し、
前記下ボタンはカーソルを下へ移動させるためのキー信号を発生し、
前記左ボタンは右のアイコンを選択するためのキー信号を発生し、
前記右ボタンは左のアイコンを選択するためのキー信号を発生するシステム。
（２２）  カメラ、表示部、タッチパッド及び複数の第１操作ボタンを具備するウェアラブル機器と、
外部機器と無線により接続可能であり、ケーブルを介して前記ウェアラブル機器に接続可能である電子機器であって、複数の第２操作ボタンを具備し、前記ウェアラブル機器に電源電圧と画像情報を供給する電子機器と、
を具備するシステムであって、
前記電子機器は、
前記外部機器と通話する通話手段と、
前記カメラで撮影された画像情報を前記外部機器へ送信する送信手段と、
前記カメラで撮影された画像情報及び前記外部機器から送信された画像情報を記憶するストレージと、
操作メニュー及び前記外部機器から送信された前記画像情報又は前記ストレージから読み出された前記画像情報を前記表示部に表示させる表示制御手段と、
前記操作メニューが前記表示部で表示されている間に前記第１操作ボタン、前記タッチパッド又は前記第２操作ボタンの操作に応じて前記操作メニュー内の項目を選択し、選択された項目に対応する処理を実行するプロセッサと、
を具備するシステム。
（２３）  （２２）記載のシステムであって、
前記電子機器は商用電源の電圧により充電される二次電池を具備し、
前記電子機器は前記商用電源の電圧又は前記二次電池の電圧により動作可能であり、
前記ウェアラブル機器は前記電子機器と接続していない場合、動作不可能であるシステム。
（２４）  （２２）記載のシステムであって、
前記外部機器から送信された前記画像情報は前記ウェアラブル機器のユーザへの指示情報を含むシステム。
（２５）  （２２）記載のシステムであって、
前記プロセッサはユーザの指紋又は前記複数の第２操作ボタンの操作の組み合わせに基づいてユーザを認証するものであるシステム。
（２６）  （２２）記載のシステムであって、
前記ウェアラブル機器はユーザの頭部に装着され、
前記ユーザは前記電子機器を携帯するシステム。
（２７）  カメラ及び表示部を具備するウェアラブル機器と、
電源電圧と画像情報を前記ウェアラブル機器にケーブルを介して供給する電子機器と、
を具備するシステムであって、
前記ウェアラブル機器は一部が曲面状の筐体を具備し、
前記ケーブルのプラグが挿入されるレセプタクルが前記筐体の一部に設けられ、
前記レセプタクルの端子は前記筐体の一部から突出している突出部内に設けられているものであるシステム。
【０１２９】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【符号の説明】
【０１３０】
１２…オペレータ端末、１４…サーバ、１６…モバイルＰＣ、１８…遠隔支援サーバ、２３…ウェアラブルデバイス、２４…ウェアラブルデバイス本体、１０２、１０４、１０６、１０８…ボタン、１１０…タッチパッド、１２４…ディスプレイ、１３２…ＵＳＢコネクタ、２０２…５ボタン、２１３…パワーＬＥＤ、２１４…ＤＣ  ＩＮ／バッテリＬＥＤ、３５２…バッテリ。
【図１】
2019120979.tif 000003
【図２】
2019120979.tif 000004
【図３】
2019120979.tif 000005
【図４】
2019120979.tif 000006
【図５】
2019120979.tif 000007
【図６】
2019120979.tif 000008
【図７】
2019120979.tif 000009
【図８】
2019120979.tif 000010
【図９】
2019120979.tif 000011
【図１０】
2019120979.tif 000012
【図１１】
2019120979.tif 000013
【図１２】
2019120979.tif 000014
【図１３】
2019120979.tif 000015
【図１４】
2019120979.tif 000016